(57)【特許請求の範囲】
【請求項１】
バンパの両端部をフェンダ部に取付けるバンパ取付構造において、バンパとフェンダ部の割線をバンパの両端部で斜め下方に傾斜させ、バンパの両端部からフェンダ部の内側に向けて連結ブラケットを延出し、フェンダ部のアーチ状フランジと、連結ブラケットに設けたフランジ部と、フェンダライナの下縁部とを重ね合わせて、これらを共締めしたことを特徴とするバンパ取付構造。
【請求項２】
連結ブラケットに、フェンダ部の内面に当接してフェンダ部の折り曲げ端縁が連結ブラケットの外面に摺接するのを防止する規制リブを設けたことを特徴とする請求項１記載のバンパ取付構造。
【発明の詳細な説明】
【０００１】
【発明の属する技術分野】
本発明は、自動車のバンパ取付構造に関し、特にバンパの両端部をフェンダ部に取付けるバンパ取付構造に関するものである。
【０００２】
【従来の技術】
従来の自動車のフロントバンパの取付構造としては、例えば実開平５−６４００９号公報において従来例として示されたものが知られている。図４を参照して説明すると、フロントバンパ２１の両端部は水平で、その上端縁から内側に延出された取付座を、フェンダ部２２の下端縁から内側に延出された取付座の下面に当接させ、固定ねじ２３をフロントバンパ２１の取付座を貫通させてフェンダ部２２の取付座に締結して固定している。また、このフロントバンパ２１の取付作業時に邪魔になるために、フェンダライナはフロントバンパ２１を取付けた後に取付けられる。
【０００３】
【発明が解決しようとする課題】
ところが、上記構成では上記公報に開示されているような特別な手段を講じないと、前輪によってはね上げられた泥水がフェンダ部２２の取付座とフロントバンパ２１の取付座の間の隙間から前方に流出し、フロントバンパ２１の両端部の前面に泥水の流出跡が残り、見栄えが悪くなるという問題があった。
【０００４】
また、フェンダライナの取付作業がバンパの取付後に限定されるために、組立工程の段取りが悪くなるという問題があった。
【０００５】
本発明は、上記従来の問題点に鑑み、バンパの両端部前面に泥水の流出跡を生じず、またフェンダライナを先行して取付けることができて組立工程の段取りを良くすることができるバンパ取付構造を提供することを目的とする。
【０００６】
【課題を解決するための手段】
本発明は、バンパの両端部をフェンダ部に取付けるバンパ取付構造において、バンパとフェンダ部の割線をバンパの両端部で斜め下方に傾斜させ、バンパの両端部からフェンダ部の内側に向けて連結ブラケットを延出し、フェンダ部のアーチ状フランジと、連結ブラケットに設けたフランジ部と、フェンダライナの下縁部とを重ね合わせて、これらを共締めしたものであり、バンパとフェンダ部の割線が斜め下方に傾斜しているので、車輪によってはね上げられた泥水がバンパとフェンダ部の割線部に裏側から侵入した場合でもそのまま斜め下方に流出してバンパの両端部外面に泥水の流出跡を生じる恐れがないため、見栄えが良いバンパを得ることができ、またフェンダ部のアーチ状フランジと、連結ブラケットに設けたフランジ部と、フェンダライナの下縁部とを重ね合わせて、これらを共締めしてバンパを固定するので、フェンダ部に先行してフェンダライナを取付けていてもバンパを取付けることができ、組立工程の段取りを良くすることができる。
【０００７】
また、連結ブラケットに、フェンダ部の内面に当接してフェンダ部のバンパとの割線部の折り曲げ端縁が連結ブラケットの外面に摺接するのを防止する規制リブを設けると、バンパの取付作業時等にフェンダ部の折り曲げ端縁がバンパの連結ブラケットの外面に当たり、その塗装に傷を付けて外観を損なうというような恐れをなくすことができ、またバンパとフェンダ部の割線で段差を生じる恐れも無くすことができる。
【０００８】
【発明の実施の形態】
以下、本発明のバンパ取付構造の一実施形態を、図１、図２を参照して説明する。
【０００９】
図１において、１は車体前端のフロントバンパ、２はフェンダ部であり、３はフェンダ部２の前端部に配設された前照灯である。フロントバンパ１の両端部ににおいて、フロントバンパ１とフェンダ部２の割線４がフロントバンパ１の両端部で斜め下方に傾斜させて形成されている。
【００１０】
図２を参照して詳細に説明すると、図２（ａ）に示すように、フロントバンパ１の両端部からフェンダ部２の内側に向けて連結ブラケット５が斜め上方後方に延出されている。この連結ブラケット５は、図２（ｂ）に示すように、フェンダ部２のアーチ状フランジ７上に重合するフランジ部６を有する断面形状Ｌ字状で、そのフランジ部６に形成した取付穴８にグロメット９を嵌着し、アーチ状フランジ７を貫通させた取付ねじ１０をグロメット９にねじ込んで締結することによってフロントバンパ１の両端部がフェンダ部２に取付けられている。この取付状態で、図２（ｃ）に示すように、フロントバンパ１はその連結ブラケット５がフェンダ部２の内側に挿入された状態で、フロントバンパ１とフェンダ部２の間に割線４が形成されている。
【００１１】
また、本実施形態では、フロントバンパ１の取付けに先行してフェンダ部２のアーチ状フランジ７上にフェンダライナ１１が配設されており、フェンダライナ１１は連結ブラケット５のフランジ部６とアーチ状フランジ７の間に介装された状態で取付ねじ１０にて共締めされて固定されている。
【００１２】
以上の構成によれば、フロントバンパ１とフェンダ部２の割線４がフロントバンパ１の両端部で斜め下方に傾斜しているので、前輪によってはね上げられた泥水がフロントバンパ１の両端部とフェンダ部２の間の割線４部に裏側から侵入した場合でも、そのまま斜め下方に流出してフロントバンパ１の両端部前面に泥水の流出跡を生じる恐れがないため、見栄えの良いバンパを得ることができる。また、フェンダ部２のアーチ状フランジ７と連結ブラケット５のフランジ部６を取付ねじ１０でねじ止めしてフロントバンパ１を固定しているので、フェンダ部２に先行してフェンダライナ１１を取付けていてもフロントバンパ１を取付けることができ、組立工程の段取りを良くすることができる。
【００１３】
次に、本発明のバンパ取付構造の他の実施形態について、図３を参照して説明する。なお、基本的な構成は上記実施形態と同一であり、その説明を援用して相違点のみを説明する。
【００１４】
上記実施形態では、フロントバンパ１の取付作業時等にフェンダ部２のフロントバンパ１との割線４部の折り曲げ端縁２ａが連結ブラケット５の外面に当たって、その外面の塗装に傷を付けて見栄えを損ねる恐れがあるため、本実施形態では連結ブラケット５の外面に、フェンダ部２の内面に当接してフェンダ部２のフロントバンパ１との割線４部の折り曲げ端縁２ａが連結ブラケット５の外面に摺接するのを防止する規制リブ１２を設けている。また、連結ブラケット５をフェンダ部２の内側に挿入する際に、フェンダ部２の折り曲げ端縁２ａが規制リブ１２を円滑に乗り越えるように、連結ブラケット５の外面には、その先端部から規制リブ１２の上端に向かう傾斜ガイド部１３が突設されている。
【００１５】
本実施形態によると、フロントバンパ１の取付作業時等にフェンダ部２の折り曲げ端縁２ａがフロントバンパ１の連結ブラケット５の外面に当たるのを確実に防止でき、連結ブラケット５外面の塗装に傷を付けて外観を損なうというような恐れをなくすことができ、またフェンダ部２の高さ位置が規制リブ１２にて規制されるので、フロントバンパ１とフェンダ部２の割線４で段差を生じる恐れも無くすことができ、端正な割線を呈する外観を得ることができる。
【００１６】
【発明の効果】
本発明のバンパ取付構造によれば、以上のようにバンパの両端部においてフェンダ部との割線が斜め下方に傾斜しているので、バンパとフェンダ部の割線部に裏側から泥水が侵入した場合でもそのまま斜め下方に流出してバンパの両端部前面に泥水の流出跡を生じる恐れがなく、見栄えの良いバンパを得ることができ、またフェンダ部のアーチ状フランジと、連結ブラケットに設けたフランジ部と、フェンダライナの下縁部とを重ね合わせて、これらを共締めしてバンパを固定しているので、フェンダ部に先行してフェンダライナを取付けていてもバンパを取付けることができ、組立工程の段取りを良くすることができる。
【００１７】
また、連結ブラケットに、フェンダ部の内面に当接してフェンダ部のバンパとの割線部の折り曲げ端縁が連結ブラケットの外面に摺接するのを防止する規制リブを設けると、バンパの取付作業時等にフェンダ部の折り曲げ端縁がバンパの連結ブラケットの外面に当たり、その塗装に傷を付けて外観を損なうというような恐れをなくすことができ、またバンパとフェンダ部の割線で段差を生じる恐れも無くすことができる。
【図面の簡単な説明】
【図１】本発明の一実施形態のパンパ取付構造を適用した車体前部の側面図である。
【図２】同実施形態のバンパ取付構造の詳細構成を示し、（ａ）はフロントバンパの側面図、（ｂ）は同バンパの取付状態を示す（ａ）のＡ−Ａ矢視断面図、（ｃ）は同バンパの取付状態を示す（ａ）のＢ−Ｂ矢視断面図である。
【図３】本発明の他の実施形態のバンパ取付構造の詳細構成を示し、（ａ）はフロントバンパの側面図、（ｂ）は同バンパの取付状態を示す（ａ）のＣ−Ｃ矢視断面図である。
【図４】従来例のバンパ取付構造を適用した車体前部の側面図である。
【符号の説明】
１  フロントバンパ
２  フェンダ部
４  割線
５  連結ブラケット
７  アーチ状フランジ
１０  取付ねじ
１２  規制リブ
【図１】
0003545232.tif 000002
【図２】
0003545232.tif 000003
【図３】
0003545232.tif 000004
【図４】
0003545232.tif 000005